【事件の表示】
　特願２００１−４１４６０「光学用フイルムまたはシートの製造方法」拒絶査定不服審判事件〔平成１３年１０月３１日出願公開、特開２００１−３０５３４９〕について、次のとおり審決する。
【結　論】
　本件審判の請求は、成り立たない。
【理　由】
１．手続の経緯及び本願発明
　本願は、平成５年８月１１日に特許出願した特願平５−１９９５８８号の一部を平成１３年２月１９日に新たな特許出願としたものであって、その特許請求の範囲の請求項１乃至４に係る発明は、平成１６年３月１２日付けの手続補正書により補正された明細書の記載からみて、その請求項１乃至４に記載されたとおりのものと認められるところ、その請求項１に記載された発明（以下、「本願発明」という。）は次のとおりのものである。
「下記一般式［Ｉ］
【化１】
［式中、Ｒ１，Ｒ２，Ｒ３およびＲ４は水素原子を表し、Ｘは炭素数５〜１０のシクロアルキレン基である。］
で示される繰り返し単位を３０モル％を越える割合で含有するポリカーボネート重合体を溶媒に溶解し、該ポリカーボネート重合体の濃度を１５重量％以上とした溶液を用いてキャスティング法により製膜し、必要に応じて二軸延伸して、膜厚が５０〜５００μｍであり、かつリタデーション（Ｒｅ）が１０ｎｍ以下であるフイルムまたはシートを形成することを特徴とする光学用の光学等方性フイルムまたはシートの製造方法。」
　
２．引用例
　これに対して、原査定の拒絶の理由に引用された特開平２−８８６３４号公報（以下、「引用例」という。）には、次の事項が記載されている。
　高分子量の芳香族ポリカーボネートのフィルムに関するもので、
（ア）特許請求の範囲第５項に、式（Ｉａ）
に相当する二官能性カーボネート構造単位を、ポリカーボネート中の二官能性構造単位の１００モル％の合計量に基づいて１００モル％〜２モル％の量で含有することを特徴とする、少なくとも１００００の重量平均分子量を有する、高分子量の芳香族ポリカーボネートのフィルム、の記載。
　式（Ｉａ）中、Ｘ、Ｒ１、Ｒ２、Ｒ３、Ｒ４およびｍは特許請求の範囲第１項において式（Ｉ）について定義したとおりである。
（イ）同第１項に、式（Ｉ）に相当するジヒドロキシジフェニルシクロアルカン、の記載。
　式（Ｉ）中、Ｒ１およびＲ２は、お互いに独立に、水素、・・であり、ｍは４〜７の整数であり、Ｒ３およびＲ４は、各Ｘについて個々に選択され、お互いに独立に、水素またはＣ１−Ｃ４アルキルであり、そしてＸは炭素であり、
　ただし、少なくとも１つの原子Ｘにおいて、Ｒ３およびＲ４の両者はアルキルである。
（ウ）３頁左上欄のジフェノール（式（II））の記載。
（エ）１１頁右下欄及び１２頁右上欄に、この発明によるポリカーボネートの用途として、Ａ．光学的データ記録部材、例えばコンパクトディスク、Ｌ．光透過担体、とくに光ガイドなどの記載。
（オ）１２頁左下欄に、
　「本発明の高分子量の芳香族ポリカーボネートは、とくにフィルムの製造のために使用することができる。フィルムは１〜１５００μｍの好ましい厚さおよび１０〜９００μｍのとく好ましい厚さを有する。
　得られるフィルムは、既知の方法で、好ましくは１：１．５〜１：３の比で、一軸方向または二軸方向に延伸することができる。
　フィルムは、フィルムの製造ために既知の方法により、例えば、・・・、フィルム吹込成形機、深絞り成形またはキャスティングにより製造することができる。」（４〜１６行）の記載。
（カ）２５頁の「実施例Ｄ．１」に、キャスティングによりフィルムを製造する例。
　
　したがって、引用例には、「一般式（Ｉａ）［式中、Ｒ１およびＲ２は水素であり、ｍは４〜７の整数であり、Ｒ３およびＲ４は、各Ｘについて個々に選択され、お互いに独立に、水素またはＣ１−Ｃ４アルキルであり、そしてＸは炭素であり、ただし、少なくとも１つの原子Ｘにおいて、Ｒ３およびＲ４の両者はアルキルである。］に相当する二官能性カーボネート構造単位を、ポリカーボネート中の二官能性構造単位の１００モル％の合計量に基づいて１００モル％〜２モル％の量で含有する高分子量の芳香族ポリカーボネートを溶媒に溶解し、該芳香族ポリカーボネートの溶液を用いてキャスティング法により製膜し、膜厚が１０〜９００μｍであるフィルムを形成することを特徴とするフイルムの製造方法。」についての発明が記載されているといえる。
　
３．対比　　
　本願発明と引用例に記載された発明とを対比する。
　引用例の一般式（Ｉａ）において「Ｒ１、Ｒ２」はそれぞれ、本願発明の一般式［Ｉ］の「Ｒ１，Ｒ２，Ｒ３およびＲ４」に相当する。
　また、引用例の一般式（Ｉａ）において「ｍは４〜７の整数であり、Ｘは炭素」であるから、「Ｃと（Ｘ）ｍとにより形成される環」は、本願発明の一般式［Ｉ］にいう「Ｘは炭素数５〜８のシクロアルキレン基」に相当するといえる。
　なお、引用例の一般式（Ｉａ）では「少なくとも１つの原子Ｘにおいて、Ｒ３およびＲ４の両者はアルキルである。」としているが、本願発明においても、Ｘの具体例はシクロアルキレン基として「１，１−シクロペンチレン、１，１−シクロヘキシレン」に限らず、「１，１−（３，３，５−トリメチル）シクロヘキシレン」を用いている（段落「００１３」）。したがって、引用例の「少なくとも１つの原子Ｘにおいて、Ｒ３およびＲ４の両者はアルキルである。」との記載は、引用例の「Ｃと（Ｘ）ｍとにより形成される環」が、本願発明の一般式［Ｉ］にいう「Ｘは炭素数５〜８のシクロアルキレン基」に相当するとの上記認定の阻害要因となるものではない。
　また、引用例には、ポリカーボネートの用途として、光学的データ記録部材、例えばコンパクトディスク、および光透過担体が記載されているから、引用例には、本願発明でいう「光学用のフイルムの製造」について記載されているといえる。
　以上から、両者は、「下記一般式［Ｉ］
【化１】
［式中、Ｒ１，Ｒ２，Ｒ３およびＲ４は水素原子を表し、Ｘはシクロアルキレン基である。］
で示される繰り返し単位を含有するポリカーボネート重合体を溶媒に溶解し、該ポリカーボネート重合体の溶液を用いてキャスティング法により製膜し、フイルムを形成する光学用のフイルムの製造方法。」である点で一致し、次の点で相違する。
相違点１；一般式［Ｉ］のＸがシクロアルキレン基である場合の炭素数が、本願発明は「５〜１０」であるのに対して、引用例の発明は「５〜８」である点、
相違点２；（２）ポリカーボネート重合体中に含有される一般式［Ｉ］で示される繰り返し単位の割合が、本願発明は「３０モル％を超える割合」であるのに対して、引用例の発明は「２〜１００モル％」である点、
相違点３；製膜した膜厚が、本願発明は「５０〜５００μｍ」であるのに対して、引用例の発明は「１０〜９００μｍ」である点、
相違点４；本願発明は、ポリカーボネート重合体の濃度を１５重量％以上とした溶液を用いて製膜するのに対して、引用例には、ポリカーボネート重合体の濃度についての記載がない点、
相違点５；製造される光学用のフイルムが、本願発明は、リタデーション（Ｒｅ）が１０ｎｍ以下である光学等方性フイルムであるのに対して、引用例には、Ｒｅの値についての記載がなく、また、光学等方性フイルムである旨の記載がない点。
　
４．当審の判断
　上記相違点１〜５について検討する。
　相違点１について
　本願発明は、炭素数５〜８の範囲において引用例の発明と明らかに一致するものであるから、シクロアルキレン基の炭素数について両者を別異のものとすることはできない。
　
　相違点２について
　本願発明は、３０モル％を超える範囲において引用例の発明と明らかに一致するものであるから、ポリカーボネート重合体中に含有される一般式［Ｉ］で示される繰り返し単位の割合について両者を別異のものとすることはできない。
　
　相違点３について
　本願発明は、５０〜５００μｍの範囲において引用例の発明と明らかに一致するものであるから、製膜した膜厚について両者を別異のものとすることはできない。
　　
　相違点４について
　重合体の濃度は、製膜しようとする膜厚に応じて当業者が適宜決定し得る設計的事項である。
　「相違点（３）について」の項で述べたように、本願発明と引用例の発明とは製膜する膜厚が一致しており、ポリカーボネート重合体の濃度を１５重量％以上とした溶液を用いて製膜することに格別の困難性はない。ちなみに、原査定の備考欄に引用された特開平５−２００７６１号の段落「００１８」にも、ポリカーボネート共重合体キャストフィルムを製膜する際の溶液濃度を通常１〜３０重量％とする旨記載されている。
　
　相違点５について
　引用例には、ポリカーボネートフィルムを製造するのにキャスティング法により製造することが記載されている。
　キャスティング法によりフィルムを製造した際には、製造されたフィルムは光学等方性を有するであろうことは当業者が容易に予測し得ることである。
　したがって、引用例の発明において、光学的データ記録部材或いは光透過担体などの光学用のフィルムをキャスティング法により製造した際には光学等方性のフィルムが得られるであろうことは当業者が容易に予測し得ることであり、また、キャスティング法により該光学等方性のフィルムを製造する際に、実用的に有効なリタデーションの上限値を定めることは当業者が容易になし得る設計的事項である。
　
５．むすび
　以上のとおり、本願発明は、引用例に記載された発明に基いて当業者が容易に発明をすることができたものであるから、特許法第２９条第２項の規定により特許を受けることができない。
　よって、結論のとおり審決する。